(57)【要約】      （修正有）【課題】落ちにくく、ずれにくい衣類ハンガーを提供する。【解決手段】三角形の衣類ハンガーにおいて、本ハンガー上部左右に襟留めの薄生地締めつけ部Ｂ１と襟留めの厚生地受け部Ｂ２を直線的に配置し、本ハンガー中部左右にズボン留めの腰厚生地受け部Ｃ１とズボン留めの腰薄生地締めつけ部Ｃ２を直線的に配置し、本ハンガー下部に直線状の靴下留めＤを配置する。フック部Ａ１を弾力性のある半円より大きな弧状に成形し、フック部Ａ１下側に、フックに対する揺れ止めＡ２、Ａ３を上下に配置し、フックに対する揺れ止めＡ２、Ａ３の断面を弾力性のある波板状に成形する。【選択図】図１
0003176562.tif 000002
【実用新案登録請求の範囲】
【請求項１】
衣類ハンガーが物干し竿から落ちにくく、また、ずれにくくする特徴。つまり、弾力性のあるフック部Ａ１を物干し竿直径大よりやや小さく成形するとともに、半円より大きな弧状に成形する。フック部Ａ１入り口はその竿直径より小さくする。また、フック部Ａ１入り口右上方向の物干し竿固定位置にその竿到達時は、物干し竿の中心点がフック部Ａ１入り口最狭部の線よりフック部右上方向側におさまる十分な奥行のあるものとする。衣類ハンガーの上記特徴を補助するため、フック部Ａ１入り口最狭部の線より左下側に、フックに対する弾力性のある揺れ止め２つを上下に設ける。２つの部分はそれぞれ横縞状に成形し、また、正面図において、左または右から見た断面がそれぞれ波板状の成形とする。それら上下２つにより、フック部より下の衣類ハンガー本体だけが揺れることで、風の衝撃を受け止めて弱める。
【請求項２】
請求項１の衣類ハンガーでありつつ、洗濯バサミを使わず襟付きシャツ（主にワイシャツ襟と同じつくりのもの）、ズボン、靴下を留める特徴。
襟付きシャツを留めるには弾力性のある襟留めの薄生地締めつけ部Ｂ１（すきま約１ミリ、長さ約３５ミリ）と弾力性のある襟留めの厚生地受け部Ｂ２（すきま約３ミリ、長さ約１５ミリ）をほぼ直線的に隣接して衣類ハンガーの左右にそれぞれ配置する。
ズボンを留めるには、弾力性のあるズボン留めの腰厚生地受け部Ｃ１（すきま約３ミリ、長さ約２０ミリ）と弾力性のあるズボン留めの腰薄生地締めつけ部Ｃ２（すきま約１ミリ強、長さ上下合計約３０ミリ）をほぼ直線的に隣接して衣類ハンガーの左右にそれぞれ配置する。
靴下を留めるには直線状の弾力性のある靴下留め（すきま約１ミリ、長さ約３０ミリ）を衣類ハンガーの左右にそれぞれ５つ配置する。
【考案の詳細な説明】
【技術分野】
【０００１】  本考案は、風で落ちにくく、ずれにくい衣類ハンガーであると共に襟付きシャツ（主にワイシャツ襟と同じつくりのもの）、ズボン、靴下などを洗濯バサミを使わないで、しかも手軽にかけられる衣類ハンガーの構造に関する
【背景技術】
【０００２】  従来、多少複雑な構造の衣類ハンガーを除いて、衣類ハンガーは、風で落ちやすく、ずれやすかった。襟付きシャツ（主にワイシャツ襟と同じつくりのもの）、ズボン、靴下を衣類ハンガーにかけるときは洗濯バサミどめやボタンどめをしていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  本考案は、衣類ハンガーが風で落ちにくく、しかもずれにくくすること、襟付きシャツ（主にワイシャツ襟と同じつくりのもの）、ズボン、靴下を洗濯バサミどめやボタンどめをしないで、手軽に衣類ハンガーにかけることを解決するためになされたものである。
【課題を解決するための手段】
【０００６】    まず、衣類ハンガーが物干し竿から落ちにくく、また、ずれにくくする手段（図１参照）。
弾力性のあるフック部Ａ１を物干し竿直径大よりやや小さく成形するとともに、半円より大きな弧状に成形する。フック部Ａ１入り口はその竿直径より小さくする。また、フック部Ａ１入り口右上方向の物干し竿固定位置にその竿到達時は、物干し竿の中心点がフック部Ａ１入り口最狭部の線よりフック部右上方向側におさまる十分な奥行のあるものとする。衣類ハンガーの上記特徴を補助するため、フック部Ａ１入り口最狭部の線より左下側に、フックに対する弾力性のある揺れ止め２つを上下に設ける。２つの部分はそれぞれ横縞状に成形し、また、正面図において、左または右から見た断面がそれぞれ波板状の成形とする。それら上下２つにより、フック部より下の衣類ハンガー本体だけが揺れることで、風の衝撃を受け止めて弱める
洗濯バサミどめやボタンどめをしないで、襟付きシャツ（主にワイシャツ襟と同じつくりのもの）、ズボン、靴下を手軽に衣類ハンガーにかけるための手段（図１参照）。
襟付きシャツを留めるには、弾力性のある襟留めの薄生地締めつけ部Ｂ１（すきま約１ミリ、長さ約３５ミリ）と弾力性のある襟留めの厚生地受け部Ｂ２（すきま約３ミリ、長さ約１５ミリ）をほぼ直線的に隣接して衣類ハンガーの左右にそれぞれ配置する。
ズボンを留めるには、弾力性のあるズボン留めの腰厚生地受け部Ｃ１（すきま約３ミリ、長さ約２０ミリ）と弾力性のあるズボン留めの腰薄生地締めつけ部Ｃ２（すきま約１ミリ強、長さ上下合計約３０ミリ）をほぼ直線的に隣接して衣類ハンガーの左右にそれぞれ配置する。
靴下を留めるには直線状の弾力性のある靴下留め（すきま約１ミリ、長さ約３０ミリ）を衣類ハンガーの左右にそれぞれ５つ配置する。
【考案の効果】
【０００７】フック部がしっかりと物干し竿をつかみ、さらにフックに対する弾力性のある揺れ止め２つにより、フック部より下の衣類ハンガー本体だけが揺れることで、風の衝撃を受け止めて弱める。そのために、落ちにくく、ずれにくい衣類ハンガーを実現する。
洗濯バサミどめやボタンどめをせずに、襟付きシャツもズボンも靴下もすべて手軽に衣類ハンガーにかけることができる。
【図面の簡単な説明】
【０００８】
【図１】衣類ハンガー正面図
【図２】襟付きシャツをかけたときの正面図
【図３】ズボンをかけたときの正面図
【図４】靴下をかけたときの正面図
【考案を実施するための形態】
【０００９】  図１の衣類ハンガーは合成樹脂を材料とし、弾力性を持つものとする。
衣類ハンガーが物干し竿から落ちにくく、また、ずれにくくする形態。つまり、弾力性のあるフック部Ａ１を物干し竿直径大よりやや小さく成形するとともに、半円より大きな弧状に成形する。フック部Ａ１入り口はその竿直径より小さくする。また、フック部Ａ１入り口右上方向の物干し竿固定位置にその竿到達時は、物干し竿の中心点がフック部Ａ１入り口最狭部の線よりフック部右上方向側におさまる十分な奥行のあるものとする。
衣類ハンガーの上記特徴を補助するため、フック部Ａ１入り口最狭部の線より左下側に、フックに対する弾力性のある揺れ止め２つを上下に設ける。２つの部分はそれぞれ横縞状に成形し、また、正面図において、左または右から見た断面がそれぞれ波板状の成形とする。それら上下２つにより、フック部より下の衣類ハンガー本体だけが揺れることで、風の衝撃を受け止めて弱める。
洗濯バサミどめやボタンどめをしないで、襟付きシャツ（主にワイシャツ襟と同じつくりのもの）、ズボン、靴下を手軽に衣類ハンガーにかけるための形態（図１参照）。
襟付きシャツを留めるには、弾力性のある襟留めの薄生地締めつけ部Ｂ１（すきま約１ミリ、長さ約３５ミリ）と弾力性のある襟留めの厚生地受け部Ｂ２（すきま約３ミリ、長さ約１５ミリ）をほぼ直線的に隣接して衣類ハンガーの左右にそれぞれ配置する。
ズボンを留めるには、弾力性のあるズボン留めの腰厚生地受け部Ｃ１（すきま約３ミリ、長さ約２０ミリ）と弾力性のあるズボン留めの腰薄生地締めつけ部Ｃ２（すきま約１ミリ強、長さ上下合計約３０ミリ）をほぼ直線的に隣接して衣類ハンガーの左右にそれぞれ配置する。
靴下を留めるには直線状の弾力性のある靴下留め（すきま約１ミリ、長さ約３０ミリ）を衣類ハンガーの左右にそれぞれ５つ配置する。
【実施例】
【００１０】
【産業上の利用可能性】
【００１１】  材料が１種類１個だけですみ、平面的構造の設計である。そのために、大量生産向きである。洗濯バサミを準備する時間が不要になるので、衣類ハンガーかけの時間が短時間ですむ。また、特に手が動かしにくい冬場のわずらわしいボタンどめをしなくていいので、多少手の不自由な方々や高齢者の方々でも衣類を簡単にかけることができる。
【符号の説明】
【００１２】Ａ１フック
Ａ２フックに対する揺れ止め
Ａ３フックに対する揺れ止め
Ｂ１襟留めの薄生地締めつけ部
Ｂ２襟留めの厚生地受け部
Ｃ１ズボン留めの腰厚生地受け部
Ｃ２ズボン留めの腰薄生地締めつけ部
Ｄ靴下留め
【図１】
0003176562.tif 000003
【図２】
0003176562.tif 000004
【図３】
0003176562.tif 000005
【図４】
0003176562.tif 000006
【手続補正書】
【提出日】平成24年4月4日(2012.4.4)
【手続補正１】
【補正対象書類名】実用新案登録請求の範囲
【補正対象項目名】全文
【補正方法】変更
【補正の内容】
【実用新案登録請求の範囲】
【請求項１】
三角形の衣類ハンガーにおいて、
（１）本ハンガー上部左右に襟留めの薄生地締めつけ部Ｂ１と襟留めの厚生地受け部Ｂ２を直線的に配置、
（２）本ハンガー中部左右にズボン留めの腰厚生地受け部Ｃ１とズボン留めの腰薄生地締めつけ部Ｃ２を直線的に配置、
（３）本ハンガー下部に直線状の靴下留めＤを配置、
以上からなる衣類ハンガー
【請求項２】
三角形の衣類ハンガーにおいて、
（１）フック部Ａ１を弾力性のある半円より大きな弧状に成形、
（２）フック部Ａ１下側に、フックに対する揺れ止めＡ２、Ａ３を上下に配置、
（３）上記フックに対する揺れ止めＡ２、Ａ３の断面を弾力性のある波板状に成形、
上記３点を特徴とする請求項１に記載の衣類ハンガー